(57)【特許請求の範囲】
【請求項１】
被服を着用する人体に対して採寸を施す際水平外周寸法が異なる上点と下点を高さ方向に任意にとり、
下点において全周の寸法を計測してその１／４を算出して下点横寸法として線分ＦＥ´を作図し、
上点において全周の寸法を計測してその１／４を算出して上点横寸法として線分Ｇ´Ｈ´を作図し、
上記下点側から上記上点側に向かって寸法を計測してこれを縦寸法として線分ＦＧ´を作図し、
∠Ｅ´ＦＧ´が９０°になるように、且つ、∠Ｅ´Ｈ´Ｇ´が９０°になるように、上記線分Ｇ´Ｈ´の一端Ｈ´と上記線分ＦＥ´の一端Ｅ´を結ぶとともに、上記線分Ｇ´Ｈ´の他端Ｇ´と上記線分ＦＥ´の他端Ｆを結ぶように作図し、
それによって得られた四角形ＦＧ´Ｈ´Ｅ´を基本形状とし、該基本形状に基づいて得られた布片を合計４個得て、それらを縫製することにより上記下点から上点までの立体形状に沿った被服要素とするようにしたことを特徴とする被服作成方法。
【請求項２】
請求項１記載の被服作成方法によって作成されたことを特徴する被服。
【発明の詳細な説明】
【０００１】
【発明の属する技術分野】
本発明は、被服作成方法と被服に係り、特に、簡単な方法によって裁断・縫製することができ、且つ、被服として完成した状態で皺等を生じさせることなく平らに畳むことができるように工夫したものに関する。
【０００２】
【従来の技術】
例えば、洋服を作成する場合には、その洋服を着る人間の立体形状に合致するように、様々な工夫が施されている。すなわち、図６に示すように、胴部１０１と腕部１０３をつなげる場合には、その接続部を湾曲線１０５、１０７として接続することが行われる。これは、そのような湾曲形状とすることにより、人間の肩部及び脇部の微妙な形状を吸収して、より人間の立体形状に合致した洋服とするためである。
【０００３】
同様に、図７に示すように、いわゆる「ダーツ」と称される絞り部１０９、１１１を設けることが行われる。これもそのような絞り部１０９を設けることにより、より人間の立体形状に合致した洋服を得るためである。
【０００４】
又、図８及び図９に示すような下半身の部分についても同じである。図８に示す場合には、腰・脚部１１３を裁断する場合に、接続部に湾曲線１１５を設けるものである。又、図９に示す場合には、縫製後に絞り部１１５を設けたものである。これらも全て、より人間の立体形状に合致した洋服を得る為に施される作業である。
【０００５】
一方、着物をみてみると、図１０に示すように、洋服の場合のような湾曲部や絞り部は何等施されていないのが普通であり、したがって、本体部１２１と袖部１２３の接続部も直線的であり、又、本体部１２１自体が直線的に裁断・縫製されている。
【０００６】
しかしながらそのような縫製・裁断によって得られた着物を着用する場合には工夫が必要となる。すなわち、図１１に示すように、そのまま着用したのでは、本体部１２１と袖部１２３との間に皺１２５が発生してしまうことになる。そこで、着用時にその部分を微妙に隠すように所定の着付けを施すものである。その為、着物の着用には専門の着付けの知識と技術が必要になってくるものである。
【０００７】
【発明が解決しようとする課題】
上記従来の構成によると次のような問題があった。
すなわち、前述したように、従来の被服の作成においては、採寸後に生地を裁断・縫製する仮定で、湾曲線１０５、１０７、１１３や絞り部１０９、１１１、１１５を設けるといった作業が必要となり、煩雑且つ高度で熟練を要する作業を余儀なくされてしまうという問題があった。
又、仮に、そのような作業によって被服を作成しても、必ずしもそれを着用する人間の立体形状に合致するとは限らないという問題があった。
【０００８】
又、別の問題として被服を非着用時に畳んで保管する際、皺を生じさせることなく畳むことができないという問題があった。これは、微妙な湾曲部や絞り部が設けられていて、被服を平面的に置いた時に全体として平らな状態にならないからである。
【０００９】
これに対しては、図１０に示す着物のように湾曲部や絞り部を設けなければ、平面的に置いた時に全体が平らになるものであるが、これでは、図１１に示すように、着用時に各部に立体形状に沿わない部分が発生してしまって、結局、着用時にこれを吸収しながら着用しなければならないことになる。
【００１０】
本発明はこのような点に基づいてなされたものでその目的とするところは、簡単な方法によって、それを着用する人間の立体形状に合致した被服を得ることを可能にし、且つ、得られた被服を平面的に置いた場合に全体が平らな状態となって皺を生じさせることなくこれを畳むことを可能にする被服作成方法と被服を提供することにある。
【００１１】
【課題を解決するための手段】
上記目的を達成するべく本願発明の請求項１による被服作成方法は、被服を着用する人体に対して採寸を施す際水平外周寸法が異なる上点と下点を高さ方向に任意にとり、下点において全周の寸法を計測してその１／４を算出して下点横寸法として線分ＦＥ´を作図し、上点において全周の寸法を計測してその１／４を算出して上点横寸法として線分Ｇ´Ｈ´を作図し、上記下点側から上記上点側に向かって寸法を計測してこれを縦寸法として線分ＦＧ´を作図し、∠Ｅ´ＦＧ´が９０°になるように、且つ、∠Ｅ´Ｈ´Ｇ´が９０°になるように、上記線分Ｇ´Ｈ´の一端Ｈ´と上記線分ＦＥ´の一端Ｅ´を結ぶとともに、上記線分Ｇ´Ｈ´の他端Ｇ´と上記線分ＦＥ´の他端Ｆを結ぶように作図し、それによって得られた四角形ＦＧ´Ｈ´Ｅ´を基本形状とし、該基本形状に基づいて得られた布片を合計４個得て、それらを縫製することにより上記下点から上点までの立体形状に沿った被服要素とするようにしたことを特徴とするものである。
又、請求項２による被服は、請求項１記載の被服作成方法によって作成されたことを特徴するものである。
【００１２】
すなわち、本願発明の被服作成方法の場合には、まず、被服を着用する人体に対して採寸を施す際高さ方向に異なる上点と下点をとる。この上点及び下点としては、例えば、臀部とウェスト部が考えられ、この場合には、臀部が下点となると共にウェスト部が上点となる。又、上点と下点の組み合わせには様々な組み合わせがあり任意に決定すればよい。
そして、図２に示すように、下点において全周の寸法を計測してその１／４を算出して下点横寸法として線分ＦＥ´を作図する。例えば、臀部が下点であれば、臀部の全周寸法の１／４を下点横寸法として線分ＦＥ´とするものである。
同様に、上点においても全周の寸法を計測してその１／４を算出して上点横寸法として線分Ｇ´Ｈ´を作図する。例えば、ウェスト部が上点あれば、ウェスト部全周寸法の１／４を上点横寸法として線分Ｇ´Ｈ´を作図するものである。
そして、∠Ｅ´ＦＧ´が９０°になるように、且つ、∠Ｅ´Ｈ´Ｇ´が９０°になるように、上記線分Ｇ´Ｈ´の一端Ｈ´と上記線分ＦＥ´の一端Ｅ´を結ぶとともに、上記線分Ｇ´Ｈ´の他端Ｇ´と上記線分ＦＥ´の他端Ｆを結ぶように作図する。このようにして得られた要素を基本形状とする。
後は、この基本形状に基づいて得られた４個の布片を縫製することにより下点から上点に至る範囲の被服の要素、例えば、臀部からウェスト部に至る範囲の被服の要素を得ることができ、その得られた要素は立体形状に合致したものとなる。
【００１３】
【発明の実施の形態】
図１乃至図５を参照して本発明の一実施の形態を説明する。まず、被服作成方法の基本的な考え方を説明し、その後に具体的な実施例を説明していくものとする。
図１は被服を着用する人間の一部を立体的に、且つ、模式的に示した図である。まず、下点Ｆと上点Ｇをとる。この下点Ｆと上点Ｇは、例えば、ヒップ部を下点Ｆとし、ウェスト部を上点Ｇとするものである。
【００１４】
そして、まず、下点Ｆにおいてその全周の寸法を採寸する。例えば、ヒップ部であればヒップ寸法を採寸する。そして、採寸した寸法の１／４を算出する。それが曲線ＥＦとなる。同様に上点Ｇにおいてもその全周の寸法を採寸する。そして、採寸した寸法の１／４を算出する。それが曲線ＨＧとなる。
【００１５】
次に、下点Ｆと上点Ｇを結ぶ。すなわち、下点Ｆから上点Ｇま出の寸法を計測する。その場合、角ＥＦＧは直角である。次に、曲線ＨＧの点Ｈと曲線ＥＦの点Ｅとを結ぶ。その際、角ＧＨＥが直角になるように線分ＥＨを決定するものである。以上の作業により立体的にみた場合における１／４の形状が決定されたことになる。
【００１６】
次に、これを平面的にみてみる。つまり、既に説明した採寸作業によって把握された立体形状を作図作業によって平面形状に置き換えるものである。まず、三角形ＥＦＧを図２に示すように平面的にみると、三角形Ｅ′ＦＧ′となる。その三角形Ｅ′ＦＧ′を図３に示す。同様に、三角形ＥＧＨを平面的にみてみると、三角形Ｅ′Ｇ′Ｈ′となる。それを図４に示す。そして、三角形Ｅ′ＦＧ′と三角形Ｅ′Ｇ′Ｈ′を合わせた四角形Ｅ′ＦＧ′Ｈ′を得ることができ、これが基本形状となる。
【００１７】
上記基本形状、すなわち、四角形Ｅ′ＦＧ′Ｈ′は、図１に示す立体の１／４を覆うものであって、該立体に極めて馴染んだ形状を呈するものである。そして、上記１／４の基本形状に基づいて得られる布片を前後・左右４個集めて縫製すれば、図１に示す立体の全形状に馴染んだものとなる。
【００１８】
上記した内容が本実施の形態による被服作成方法の基本的な考え方である。そして、被服を着用する人間の立体形状において高さが異なる任意の二点を設定していく。例えば、ウェスト部を下点として首部を上とする、臀部を下点としてウェスト部を上点とする、脚部の下端を下点として臀部を上点とする、といった具合である。そのように設定された各下点・上点の組み合わせにおいて上記したと同じ方法により採寸・裁断・縫製していくことにより、人間の立体形状全体に対してきわめて馴染んだ状態の被服を得ることができる。
【００１９】
そこで、図５に示す被服としての着物を例に挙げて実際にどのような手順で採寸・裁断・縫製を行っていくかについて説明してみる。まず、ウェスト部と首部の組み合わせから説明してみる。ウェスト部の前方中央に下点ａをとる。次に、ウェスト部の全周の寸法を採寸してその１／４の寸法を算出する。下点ａから水平方向にその１／４の寸法をとって端下点ｂを決定する。図５中線分ａｂの長さがウェスト部の全周の寸法の１／４に相当する。
尚、図５は実際に採寸した寸法に基づいて作図している様子を示す図である。
【００２０】
一方、首部の前方中央に上点ｃをとる。次に、首部の全周の寸法を採寸してその１／４の寸法を算出する。上点ｃから水平方向にその１／４の寸法をとって端上点ｄを決定する。
【００２１】
次に、下点ａから上点ｃに対して鉛直上方に向けて垂線を引く。ここからは若干首部特有の作業が入る。すなわち、上点ｃから所定距離だけさらに上にいった位置に点ｃ′を設定する。
尚、上記点ｃ′を設定するに際しては角度θが基準となる。すなわち、人の首部において最も好ましいと考えられる角度θを得ることができるような位置に点ｃ′を設定する。
そして、点ｃ′から点ｄに向けて線を引いていき点ｅを求める。この点ｅを決定するに際しては、角度ｂｅｄが直角になるようにする。
【００２２】
以上の作業により、ウェスト部から首部に至る範囲で、四角形ａｃ′ｅｂを得ることができ、これが基本要素となる。
但し、実際にはそこから三角形ｃｃ′ｄの部分を削除する。
このようにして得られた五角形ａｃｄｅｂを基本形状として、それに基づいて得られた前後左右４個の布片を組み合わせることによりウェスト部から首部に至る全ての立体形状を覆うことができる部分を得ることができる。
【００２３】
次に、臀部からウェスト部に至る範囲について説明する。この場合には、まず、臀部の前方中央位置に下点ｆをとる。そして、臀部の全周の寸法を採寸して、その１／４の寸法を算出する。その１／４の寸法を図中左方向にとって端下点ｇをとる。この場合、線分ｆｇの長さが臀部の全周寸法の１／４に相当する。
一方、ウェスト部については点ａが上点となり、よって、点ｆと点ａとを結ぶ。又、点ｂと点ｇとを結ぶ。そのとき、角ｇｆａは直角であり、又、角ａｂｇも直角である。
【００２４】
このとき、四角形ｆａｂｇを得ることができ、これが臀部からウェスト部に至る範囲の基本図形となる。よって、この基本図形に基づいて前後左右４個の布片を得てそれらを縫製することにより、臀部からウェスト部に至る範囲の立体形状を得ることができる。
【００２５】
次に、裾部から臀部にかけてであるが、この場合にも同様の作業を施すことより、四角形ｈｆｇｉを得ることができ、これが裾部から臀部に至る範囲の基本図形となる。よって、この基本図形に基づいて前後左右４個の布片を得てそれらを縫製することにより裾部から臀部に至る範囲の立体形状を得ることができる。
後は、袖部を構成する四角形ｋｅｌｊを求め、これを前後２個組み合わせる。又、点ｍ、ｎを決定することにより合わせ部を得ることができる。
以上の作業を行うことにより着物全体を得ることができる。
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【発明の効果】
以上詳述したように本発明による被服作成方法と被服によると、まず、従来のように、湾曲部や絞り部を設けなくても、立体形状に合致した形状の洋服、着物、帯を得ることができる。その際、高度且つ特殊な技術を要することはなく、一定の基準に基づいて決定していくだけでよい。したがって、簡単な作成方法によってそれを着用する人間の立体形状に合致した洋服、着物、帯を容易に得ることができる。
又、洋服、着物、帯全体を平面的に置いた場合全体が平らな状態となる。これは、前後で同じ形状の要素を配置してつなげているからである。したがって、これを畳んだ場合においても何等皺を生じさせることなく畳むことが可能になる。
【図面の簡単な説明】
【図１】  本発明の一実施の形態による被服作成方法を説明する図で、立体形状における基本形状を示す為の図である。
【図２】  本発明の一実施の形態による被服作成方法を説明する図で、立体形状における基本形状を平面形状として作図することを示す図である。
【図３】  本発明の一実施の形態による被服作成方法を説明する図で、平面形状としてされた基本形状の一部である三角形を示す図である。
【図４】  本発明の一実施の形態による被服作成方法を説明する図で、平面形状として作図された基本形状の一部である三角形を示す図である。
【図５】  本発明の一実施の形態による被服作成方法を説明する図で、着物を作る作成の工程を示す図である。
【図６】  従来例を示す図で、袖部の接続部に湾曲線を設ける状態を示す平面図である。
【図７】  従来例を示す図で、絞り部を設ける状態を示す平面図である。
【図８】  従来例を示す図で、脚部の接続部に湾曲線を設ける状態を示す平面図である。
【図９】  従来例を示す図で、脚部の接続部に絞り部を設ける状態を示す平面図である。
【図１０】  従来例を示す図で、着物を示す平面図である。
【図１１】  従来例を示す図で、着物を着る時の様子を示す平面図である。
【符号の説明】
Ｆ  下点
Ｇ  上点
ＦＥ  下点横線分
ＧＨ  上点横線分
ＥＨ  端部縦線分
ＦＧＨＥ  四角形（（基本図形）
【図１】
0003883172.tif 000002
【図２】
0003883172.tif 000003
【図３】
0003883172.tif 000004
【図４】
0003883172.tif 000005
【図５】
0003883172.tif 000006
【図６】
0003883172.tif 000007
【図７】
0003883172.tif 000008
【図８】
0003883172.tif 000009
【図９】
0003883172.tif 000010
【図１０】
0003883172.tif 000011
【図１１】
0003883172.tif 000012